(57)【要約】    【課題】  誤って針を刺すのを防ぐ誤刺防止機構をもつ、医療従事者にとって使用し易い注射器及び注射針を提供することである。    【解決手段】  注射器の針（１２）を被覆するための保護カバー（１４）を備え、保護カバーが、一端が閉鎖し他端が開放した円筒形又は多角筒形の形状を有し、閉鎖端のほぼ中央に貫通孔（１４ｃ）が設けられており、注射器の使用前及び使用後には、注射器の先端を保護カバーの開放端から保護カバー内に挿入することによって針を保護カバーで被覆しており、注射器の使用時には、保護カバーを注射器内に更に押し入れて、貫通孔から針を露出させるように構成されていることを特徴とする。【選択図】  図１
2006149513.tif 000002
【特許請求の範囲】
【請求項１】
誤刺防止機構をもつ注射器であって、
注射器の針を被覆するための保護カバーを備え、
前記保護カバーが、一端が閉鎖し他端が開放した円筒形又は多角筒形の形状を有し、閉鎖端のほぼ中央に貫通孔が設けられており、
注射器の使用前及び使用後には、注射器の先端を前記保護カバーの開放端から保護カバー内に挿入することによって針を保護カバーで被覆しており、注射器の使用時には、保護カバーを注射器内に更に押し入れて、前記貫通孔から針を露出させるように構成されていることを特徴とする注射器。
【請求項２】
前記保護カバーの周壁の内面及び／又は注射器の先端の外面に、保護カバーの脱落防止用の突起又は凹凸が設けられていることを特徴とする請求項１に記載の注射器。
【請求項３】
誤刺防止機構をもつ翼付き注射針であって、
針を被覆するための保護カバーを備え、
前記保護カバーが、一端が閉鎖し他端が開放した円筒形又は多角筒形の形状を有し、閉鎖端のほぼ中央に貫通孔が設けられており、
前記保護カバーの周壁に、対向した一対のスリットが設けられており、
注射針の使用前及び使用後には、針の基部を前記保護カバーの開放端から保護カバー内に挿入することによって針を保護カバーで被覆しており、注射針の使用時には、前記保護カバーを前記基部内に更に押し入れて、前記貫通孔から前記針を露出させるように構成されていることを特徴とする注射針。
【発明の詳細な説明】
【技術分野】
【０００１】
本発明は、誤刺防止機構をもつ注射器及び注射針に関する。
【背景技術】
【０００２】
医療現場において、医師や看護師等の医療従事者が、注射器の針を誤って自分の手に指してしまう事故が後を絶たない。使用後の注射針を誤って指してしまうと、肝炎等の感染症に罹患するおそれもあり、重大な問題となっている。
【発明の開示】
【発明が解決しようとする課題】
【０００３】
本発明は、このような状況に鑑みて案出されたものであって、誤って針を刺すのを防ぐ誤刺防止機構をもつ、医療従事者にとって使用し易い注射器及び注射針を提供することを目的としている。
【課題を解決するための手段】
【０００４】
本願請求項１に記載の誤刺防止機構をもつ注射器は、注射器の針を被覆するための保護カバーを備え、前記保護カバーが、一端が閉鎖し他端が開放した円筒形又は多角筒形の形状を有し、閉鎖端のほぼ中央に貫通孔が設けられており、注射器の使用前及び使用後には、注射器の先端を前記保護カバーの開放端から保護カバー内に挿入することによって針を保護カバーで被覆しており、注射器の使用時には、保護カバーを注射器内に更に押し入れて、前記貫通孔から針を露出させるように構成されていることを特徴とするものである。
【０００５】
本願請求項２に記載の誤刺防止機構をもつ注射器は、前記請求項１の注射器において、前記保護カバーの周壁の内面及び／又は注射器の先端の外面に、保護カバーの脱落防止用の突起又は凹凸が設けられていることを特徴とするものである。
【０００６】
本願請求項３に記載の誤刺防止機構をもつ注射針は、針を被覆するための保護カバーを備え、前記保護カバーが、一端が閉鎖し他端が開放した円筒形又は多角筒形の形状を有し、閉鎖端のほぼ中央に貫通孔が設けられており、前記保護カバーの周壁に、対向した一対のスリットが設けられており、注射針の使用前及び使用後には、針の基部を前記保護カバーの開放端から保護カバー内に挿入することによって針を保護カバーで被覆しており、注射針の使用時には、前記保護カバーを前記基部内に更に押し入れて、前記貫通孔から前記針を露出させるように構成されていることを特徴とするものである。
【発明の効果】
【０００７】
本発明によれば、医療現場において誤刺事故を未然に防ぐことが可能になる。また、本発明の注射器又は注射針は、使用法が非常に簡単であり、使い易いという利点を有している。また、本発明の注射器には、保護カバー等に突起や凹凸が設けられているため、保護カバーの脱落を効果的に防止することができる。
【発明を実施するための最良の形態】
【０００８】
次に添付図面を参照して、本発明の好ましい実施の形態に係る誤刺防止機構をもつ注射器について詳細に説明する。図１は、本発明の好ましい実施の形態に係る誤刺防止機構をもつ注射器を示した斜視図である。図１において全体として参照符号１０で示される本発明の好ましい実施の形態に係る注射器は、注射器の針１２を被覆するための保護カバー１４を備えている。
【０００９】
保護カバー１４は、一端が閉鎖し他端が開放した円筒形の形状を有し、周壁１４ａ及び端壁１４ｂによって形成されている。保護カバー１４の端壁１４ｂのほぼ中央には、注射器の使用時に針１２を突出させるための貫通孔１４ｃが設けられている。注射器の先端を保護カバー１４の開放端から保護カバー１４内に挿入することによって、針１２が保護カバー１４によって被覆されるようになっている。
【００１０】
注射器の先端を保護カバー１４内に挿入し易いように、周壁１４ａの内径Ｄ1 は、注射器の外径Ｄ2 よりも僅かに大きくなるように選定されている（図３参照）。また、保護カバー１４が注射器の先端から脱落しないように、保護カバー１４の周壁１４ａの内面には、図３に示されるように、開放端の側に間隔を隔てた第１突起１４ｄ、第２突起１４ｅが設けられ、閉鎖端の側に第３突起１４ｆが設けられている。一方、注射器の先端の外面にも、突起１６が設けられている。
【００１１】
以上のように構成された誤刺防止機構をもつ注射器１０の使用について説明する。注射器の使用前は、図２（ａ）に示されるように、針１２の全体が保護カバー１４で被覆されている。この状態では、図３に示されるように、注射器の先端の突起１６が保護カバー１４の第１突起１４ｄと第２突起１４ｅとの間に位置しているので、保護カバー１４がずれるおそれはない。注射器を使用するときは、保護カバー１４を注射器内に押し入れて、保護カバー１４の貫通孔１４ｃから針１２を露出させる（図２（ｂ）参照）。この状態では、注射器の先端の突起１６が保護カバー１４の第３突起１４ｆと端壁１４ｂとの間に位置するので、保護カバー１４がずれることはない。使用後は、針１２が保護カバー１４で被覆されるように、注射器から保護カバー１４を引き出す（図２（ａ）参照）。
【００１２】
次に、本発明の好ましい実施の形態に係る誤刺防止機構をもつ注射針について説明する。図４に示される注射針は、静脈内輸液、輸血用、小児頭皮用、麻酔用等の用途に用いられる、“翼付静注針”と称する注射針である。図４において全体として参照符号２０で示される本発明の好ましい実施の形態に係る誤刺防止機構をもつ翼付き注射針は、針２２を被覆するための保護カバー２４を備えている。
【００１３】
保護カバー２４は、一端が閉鎖し他端が開放した円筒形の形状を有し、周壁２４ａ及び端壁２４ｂによって形成されている。保護カバー２４の端壁２４ｂのほぼ中央には、注射器の使用時に針２２を突出させるための貫通孔２４ｃが設けられている。針２２の基部２１を保護カバー２４の開放端から保護カバー２４内に挿入することによって、針２２が保護カバー２４によって被覆されるようになっている。
【００１４】
保護カバー２４の周壁２４ａには、図５（ｃ）に示されるように、対向した一対のスリット２４ｄが設けられており、後述するように保護カバー２４を針２２の基部２１に押し入れて保護カバー２４の貫通孔２４ｃから針２２を露出させようとする際、基部２１の両側に設けられた翼２６が邪魔ならないようになっている。保護カバー２４の周壁２４ａの内径Ｄ3 は、基部２１の径Ｄ4 とほぼ等しいか僅かに小さくなるように選定されている（図５（ａ）参照）。
【００１５】
以上のように構成された誤刺防止機構をもつ翼付き注射針２０の使用について説明する。注射針の使用前は、図４（ａ）に示されるように、針２２の全体が保護カバー２４で被覆されている。この状態では、保護カバー２４の周壁２４ａの内径Ｄ3 が、基部２１の径Ｄ4 とほぼ等しいか僅かに小さいため、保護カバー２４がずれたり脱落したりするおそれはない。使用時には注射針２０を注射器（図示せず）に装着し、保護カバー２４を基部２１内に押し入れて、保護カバー２４の貫通孔２４ｃから針２２を露出させる（図４（ｂ）参照）。この際、保護カバー２４の周壁２４ａにスリット２４ｄが設けられているため、翼２６に遮られることなく保護カバー２４を基部２１内に押し入れることができる。また、スリット２４ｄは、保護カバー２４を基部２１内に押し入れ易くするのにも役立つ。使用後は、針２２が保護カバー２４で被覆されるように、基部２１から保護カバー２４を引き出す（図４（ａ）参照）。
【００１６】
本発明は、以上の発明の実施の形態に限定されることなく、特許請求の範囲に記載された発明の範囲内で、種々の変更が可能であり、それらも本発明の範囲内に包含されるものであることはいうまでもない。
【００１７】
例えば、前記実施の形態では、保護カバー１４、２４が平らな端壁１４ｂ、２４ｂをもった円筒形状のものとして示されているが、端壁を湾曲したドーム状に形成してもよく、周壁を円筒形ではなく多角筒形に形成してもよい。
【００１８】
また、前記実施の形態では、保護カバー１４の周壁１４ａの内面及び注射器の先端の外面に脱落防止用の突起が設けられているが、このような突起を周壁１４ａの内面又は注射器の先端の外面のいずれか一方にのみ設けてもよく、或いは、突起の代わりに、脱落防止用の凹凸（図示せず）を設けてもよい。
【図面の簡単な説明】
【００１９】
【図１】本発明の好ましい実施の形態に係る誤刺防止機能をもつ注射器を示した斜視図である。
【図２】図１の注射器を示した断面図であって、図２（ａ）は、使用前及び使用後の状態を示した図、図２（ｂ）は、使用時の状態を示した図である。
【図３】保護カバーの内面に設けられた脱落防止用突起を示すための拡大断面図である。
【図４】本発明の好ましい実施の形態に係る誤刺防止機能をもつ翼付き注射針を示した斜視図である。
【図５】図１の注射針を示した断面図であって、図２（ａ）は、使用前及び使用後の状態を示した図、図２（ｂ）は、使用時の状態を示した図である。
【符号の説明】
【００２０】
１０  誤刺防止機構をもつ注射器
１２  針
１４  保護カバー
２０  誤刺防止機能をもつ翼付き注射針
２１  基部
２２  針
２４  保護カバー
２６  翼
【図１】
2006149513.tif 000003
【図２】
2006149513.tif 000004
【図３】
2006149513.tif 000005
【図４】
2006149513.tif 000006
【図５】
2006149513.tif 000007